(57)【要約】従来の全反射画像表示装置の輝度は、入射光が、白色状態の暗瞳孔領域を通過することによって低下することがある。透明な正面シート上の凸状突起の表面にサブ波長構造体を付加することにより、白色状態の輝度が増加することができる。サブ波長構造体の大きさ、間隔、形状及び屈折率の制御により、ゼロ次反射及び輝度を向上させることができる。
2018536202.tif 000002
【特許請求の範囲】
【請求項１】
第１面と第２面とを有する透明層であって、前記第２面は、前記第１面の反対側に位置し、且つ、前記第１面から離れる方向に延出した複数の凸状突起を有し、少なくとも１つの前記突起が暗瞳孔領域を有する、透明層と、
前記凸状突起の表面上に位置して、前記透明層の第２面から離れる方向に突出する構造体と、を備える、ディスプレイの正面シート。
【請求項２】
さらに、前記透明層の前記第２面の上に等角で配置された電極層を備える、請求項１に記載のディスプレイの正面シート。
【請求項３】
さらに、前記電極層の上に等角で配置された誘電体層を備える、請求項１に記載のディスプレイの正面シート。
【請求項４】
少なくとも１つの前記構造体の幅が、実質的に入射光線の波長以下である、請求項１に記載のディスプレイの正面シート。
【請求項５】
前記構造体間を隔てる距離が、実質的に入射光線の波長以下である、請求項１に記載のディスプレイの正面シート。
【請求項６】
前記第１面から離れる方向に延出した前記複数の凸状突起の１つが、半球状を成す、請求項１に記載のディスプレイの正面シート。
【請求項７】
第１面と第２面とを有する透明層であって、前記第２面は、前記第１面の反対側に位置し、且つ、前記第１面から離れる方向に延出した複数の凸状突起を有し、少なくとも１つの突起が暗瞳孔領域を有する、透明層と、
前記凸状突起の表面上に位置して、前記透明層の第２面から離れる方向に突出する構造体と、
前記透明層の上に位置する実質的に透明な正面電極層と、
前記正面電極層の上に配置された誘電体層と、
前記誘電体層から離れて位置し、前記誘電体層との間に空隙を形成する背面電極と、
前記空隙内に配置され電気泳動で移動する複数の粒子と、
を備える、反射画像ディスプレイ。
【請求項８】
前記正面電極は前記透明層の構造体の上に等角で配置されている、請求項７に記載の反射画像ディスプレイ。
【請求項９】
前記誘電体層は前記正面電極の上に等角でされている、請求項７に記載の反射画像ディスプレイ。
【請求項１０】
少なくとも１つの前記構造体の幅が、実質的に入射光線の波長以下である、請求項７に記載の反射画像ディスプレイ。
【請求項１１】
前記構造体間を隔てる距離が、実質的に入射光線の波長以下である、請求項７に記載の反射画像ディスプレイ。
【請求項１２】
前記第１面から離れる方向に延出した前記複数の凸状突起の１つが、半球状を成す、請求項７に記載の反射画像ディスプレイ。
【請求項１３】
１以上の前記正面電極又は前記背面電極がバイアスされると、前記電気泳動で移動する粒子の少なくともいくつかが前記正面電極に向かって移動する、請求項７に記載の反射画像ディスプレイ。
【請求項１４】
複数の突起を有し、かつ少なくとも１つの突起が複数の構造体をその突起上に備える透明層上に、正面電極を等角に配置することと、
背面電極を誘電体層から離して位置付けて誘電体層と背面電極との間に空隙を形成することと、  
電気泳動で移動する複数の粒子を前記誘電体層と前記背面電極との間の空隙内で懸濁させることと、
第１レベルにおいて前記正面電極に前記背面電極に対応するバイアスをかけて、電気泳動で移動する複数の粒子の少なくともいくつかを前記正面電極に向かって引きつけることと、
を含む、反射画像ディスプレイを操作する方法。
【請求項１５】
前記反射画像ディスプレイを操作する方法は、さらに、第２レベルにおいて、前記正面電極に前記背面電極に対応するバイアスをかけて、電気泳動で移動する複数の粒子の少なくともいくつかを前記背面電極に向かって引きつけることを含む、請求項１４に記載の反射画像ディスプレイを操作する方法。
【請求項１６】
前記反射画像ディスプレイを操作する方法は、さらに、正面電極を誘電体層上に等角に配置することを含む、請求項１４に記載の反射画像ディスプレイを操作する方法。
【請求項１７】
少なくとも１つの前記構造体の幅が、実質的に入射光線の波長以下であることを含む、請求項１４に記載の反射画像ディスプレイを操作する方法。
【請求項１８】
前記構造体間を隔てる距離が、実質的に入射光線の波長以下であることを含む、請求項１４に記載の反射画像ディスプレイを操作する方法。
【請求項１９】
前記複数の突起の１つが半球状を成す、請求項１４に記載の反射画像ディスプレイを操作する方法。
【発明の詳細な説明】
【技術分野】
【０００１】
本開示は、２０１５年１２月６日に出願された米国仮特許出願第６２／２６３，６５５の出願日に基づく優先権を主張するものであり、その全体を本明細書に援用する。
【０００２】
本開示は、内部全反射型画像ディスプレイに関する。一実施形態では、本開示は、透明な高屈折率の正面シートの内面を改良することによって、内部全反射型画像ディスプレイの輝度を上げることに関する。
【背景技術】
【０００３】
従来の内部全反射（ＴＩＲ）型ディスプレイは、低屈折率の流体と接する透明な高屈折率の正面シートを備える。この正面シート及び流体は、臨界角を特徴とする異なる屈折率を有する。この正面シートは、光線が臨界角より小さい角度でこの高屈折率の正面シートと低屈折率の流体との界面に入射すると、その光線が界面を透過するように設計されている。光線が臨界角より大きい角度で界面に入射すると、この正面シートは界面でＴＩＲをする。ＴＩＲ界面では小さな臨界角（例えば、約５０度未満）が好ましい。小さな臨界角によって、ＴＩＲが生じ得るより広範囲な角度を得られるからである。
【０００４】
従来のＴＩＲ型反射画像ディスプレイは、さらに、電気泳動で移動する光吸収粒子を備える。粒子がバイアス電源によって正面シートの表面に移動すると、粒子はエバネッセント波領域に入り、ＴＩＲをフラストレート(frustrate)する。入射光線が吸収されることにより、視聴者が認識する暗状態を生成する。粒子がエバネッセント波領域外に移動すると、光がＴＩＲによって反射することができる。これにより、視聴者が認識できる白色状態又は明状態が生成される。ピクセル電極アレイを用いて、粒子をエバネッセント波領域内外に出入りさせて白色状態と暗状態の組み合わせを形成することができる。これを、視聴者に情報を伝えるための画像作成に使用することができる。
【０００５】
従来のＴＩＲ型ディスプレイの正面シートは、さらに、内側に複数の最密凸構造体を備え、その構造体は低屈折率の媒体及び電気泳動で移動する粒子に面する。凸構造体は半球状でよいが、他の形状も使用できる。従来技術によるＴＩＲ型ディスプレイを図１に示す。ディスプレイ１００は、複数の半球状突起１０４をさらに備える透明な正面シート１０２と、背面支持シート１０６と、半球状突起の表面上にある透明な正面電極１０８と、背面電極１１０と備える。半球の表面と背面支持シートとによって形成される空洞内には、低屈折率の流体１１２があり、この流体に、電気泳動で移動する複数の光吸収粒子１１４がさらに含まれている。ディスプレイ１００は、この空洞全体にバイアス圧可能な任意の電圧源１１６を含む。粒子が電気泳動で正面電極１０８近傍に移動すると、粒子がＴＩＲをフラストレートし得る。これは点線の右側に、粒子が入射光線１２０及び１２２を吸収している図で表されている。このディスプレイは、視聴者１２４には暗状態に見える。
【０００６】
点線１１８の左側に示すように、粒子が正面電極から離れて背面電極の方へ向かって移動すると、入射光線は、半球アレイ１０４と媒体１１２との界面において内部全反射される。これは入射光線１２６として表されており、入射光線１２６は内部全反射して、ディスプレイを抜けて反射光線１２８として視聴者に向かう。このディスプレイは、視聴者には白色状態又は明状態に見える。
【発明の概要】
【発明が解決しようとする課題】
【０００７】
各半球の中心が光線通過可能領域でありＴＩＲを受けない領域であることは、周知である。これは、入射光線が半球内面と相互作用する角度が小さいことによるものである。この非反射領域が、一般に暗瞳孔問題と呼ばれる問題が生じる。暗瞳孔はディスプレイの反射率を低下させる。暗瞳孔は、ディスプレイの反射を低下させる。図１において、暗瞳孔問題は、ディスプレイ１００内の入射光線１３０によって示されている。入射光線１３０の全てが内部反射されるのではなく、正面シート１０２を通過してしまうこともあり、これによりディスプレイの輝度が低下する。
【課題を解決するための手段】
【０００８】
図２は、ＴＩＲ型ディスプレイ内の従来技術に係る正面シートにおけるＴＩＲ領域及び暗瞳孔領域の断面図である。具体的には、正面シート２００には、視聴者２０６に面した外面２０４と内面に複数の半球２０８とを有する透明なシート２０２の一部が示されている。正面シート２００には、さらに、この領域に直接入射する光線に対するＴＩＲ領域２１０のおおよその位置と、影を付けていない非ＴＩＲ領域２１２（暗瞳領域）のおおよその位置とが示されている。これらの領域は、透明なシート２０２の内側に位置する。最初にＴＩＲ領域２１０と相互作用する入射光線は、視聴者２０６に向けて内部全面反射する。最初に非ＴＩＲ領域２１２と相互作用する入射光線は透明シート２０２を通過し、全面反射はしない。この領域２１２を暗瞳孔領域と呼ぶことができる。凸状突起アレイの表面を改良することにより、暗瞳孔問題が減少し、ディスプレイの輝度を上げることができる。
【図面の簡単な説明】
【０００９】
本開示のこれらおよび他の実施形態を、以下の具体的及び非限定的な例示を参照して説明する。この例示では同様の構成要素には同様の符号を付す。
【００１０】
図１は、従来技術に係るＴＩＲ型ディスプレイの一部を示す概略断面図。
【００１１】
図２は、ＴＩＲ型ディスプレイの暗瞳孔領域を示す従来のＴＩＲを示す断面図。
【００１２】
図３Ａは、本開示の一実施形態に係るＴＩＲ型ディスプレイの正面シートの一部を示す概略断面図。
【００１３】
図３Ｂは、本開示の一実施形態に係るＴＩＲ型ディスプレイの透明な正面シートの一部の内面を示す概略断面図。
【００１４】
図４は、本開示の別の実施形態に係る透明な正面シートの一部の内面を示す概略平面図。
【００１５】
図５Ａは、ＴＩＲディスプレイの正面シートの一例を示す側面図。
【００１６】
図５Ｂは、図５Ａの透明な正面シートの一部の内面を示す概略平面図。
【００１７】
図６は、本開示のある実施形態に係る透明な正面シートの一部の内面を示す概略平面図。
【００１８】
図７は、本開示のある実施形態に係るＴＩＲ型ディスプレイの透明な正面シートの一部の内面を示す概略平面図。
【００１９】
図８は、本開示のある実施形態に係るＴＩＲ型ディスプレイの透明な正面シートの一部の内面を示す概略図。
【００２０】
図９は、暗瞳孔領域において表面を改良したＴＩＲ型画像ディスプレイの一部を示す概略断面図。
【００２１】
図１０は、本開示の一実施形態に係るディスプレイを制御するシステムの一例。
【００２２】
図１１は、具体的シミュレーションの第１組の結果を示すグラフ。
【００２３】
図１２は、具体的シミュレーションの第２組の結果を示すグラフ。
【発明を実施するための形態】
【００２４】
以下の説明を通して、当業者がより完全に理解するために、具体的な詳細を記載する。しかしながら、本開示が不要に不明瞭にならないように、周知の要素は詳細な図示又は記載がされていないことがある。従って、記載及び図面は、限定的な意味ではなく例示的な意味であると考えるべきである。
【００２５】
一例示的実施形態では、透明な正面シートの内面は、改良表面を有する複数の凸状構造を含む構成とされる。この改良表面は、ＴＩＲ型の画像ディスプレイにおける反射率を増加させることができる。この表面を、従来のディスプレイの欠点に対処し、光線がディスプレイを通過するのを防止するために、凸構造の暗瞳領域に複数の構造体を含むように改良することができる。
【００２６】
一例示的実施形態では、改良表面は、サブ波長構造体を備えることができる。この構造体は、回折構造体を含むことができる。この構造体は、入射可視光の波長よりも小さくてよい。このサブ波長回折構造体を、実質的に反射器として機能するように設計できる。このサブ波長回折構造体を、ゼロ次オーダーミラー(zeroth order mirrors)と呼ぶことができる。サブ波長構造体の屈折率は、接する低屈折率の媒質よりも実質的に大きくてよい。サブ波長構造体の屈折率を約１．５から約２．４の範囲内とし、媒質の屈折率を約１から約１．５の範囲内とすることができる。回折構造体の好ましい幾何学的形状は、回折構造体の屈折率、隣接する材料の屈折率、並びに回折構造体の大きさ及び間隔に依存して変更可能である。一例示的実施形態では、光線はこのゼロ次回折構造体(zeroth order diffractive structure)と相互作用する。この光線はこの相互作用がなければ暗瞳孔領域を通過するであろうものである。相互作用した光の一部が反射されるためディスプレイ全体的の反射率が増加する。
【００２７】
図３Ａは、本開示の一実施形態に係るＴＩＲ型ディスプレイ正面シートの正面シートの一部の断面を概略的に示す。具体的には、図３Ａは、改良表面の凸状突起を示す。図３Ａの実施形態３００は、透明で高屈折率の正面シート３０２を示しておりと、正面シート３０２はさらに、視聴者３０６に面した外面３０４と複数の凸状突起３０８とをさらに備える。正面シート３０２の屈折率を、少なくとも約１．５とすることができる。特定の実施形態では、正面シート３０２の屈折率を、約１．５から約２．４の範囲とすることができる。個々の突起３１０は、半球状であるが、ここに開示する原理から逸脱することのない他の形状又は複数形状の混合であってもよい。他の例示的な形状には、長方形、六角形、ダイヤモンド形状又は三角形が含まれる。本開示では全体を通じて、簡潔にするため、半球状の突起を凸状の突起として図示する。少なくとも１つの凸状突起は、最密状態のアレイでは最も近い隣接突起と接していてよい。突起３０８の湾曲表面はさらに、透明な構造体又は特徴物３１２のアレイを含むことができる。一例示的実施形態では、構造体３１２は、大きさ及び／又は間隔がサブ波長（すなわち、入射可視光の波長よりも小さい）であってもよい。すなわち、各構造体３１２の大きさ（長さ及び幅）を、入射可視光線の波長と実質的に等しい、又はそれよりも小さくなるように定めることができる。
【００２８】
構造体３１２を、規則的（すなわち周期的）アレイ、不規則アレイ、又は規則的なアレイと不規則なアレイとの混在として配置することができる。図３Ａは、市松模様状である例示的なアレイを示している。各構造体３１２は、立方体又は六角形状でよい。構造体３１２の形状は、球、半球、半円筒、直角プリズム、三角錐、四角錐、又は他の形状であってもよい。構造３１２は、複数の不揃いの形状を含んでいてよい。構造体３１２は、大きさが不揃いのもの、空間距離が不揃いのもの、又はその両方を含んでもよい。構造体３１２は、凸状突起３０８とは異なる組成を含んでもよい。構造体３１２の屈折率は、凸状突起３０８の屈折率と同じでなくてもよい。
【００２９】
図３Ｂは、本開示の一実施形態に係るＴＩＲ型ディスプレイの透明な正面シートの一部の内面の図を概略的に示す。ここで、ＴＩＲ型のディスプレイの正面シートの実施形態３００は、改良表面を有する凸状突起を含む。図３Ｂの透明なシート３０２は、図３Ａに示すディスプレイの正面シートの平面図である。図３Ａは、断面図であり、図３Ｂは、透明で高屈折率の正面シート３０２の内面上の突起のアレイを直接見た図である。図３Ｂの正面シートの実施形態３００は、さらに、凸状突起３１０のアレイ３０８、サブ波長構造体３１２を有する改良表面、及び最密状態の突出部３１０間の介在空間３１４を示す。この実施形態では、サブ波長構造体３１２は、個々の凸状突起３１２の曲面上に位置する。
【００３０】
一例示的実施形態では、正面シート３０２は、凸状突起の表面上の内側に透明電極層を含む。この透明電極は、インジウム錫酸化物（ＩＴＯ）、導電性ポリマー又は透明なポリマーマトリックス中のアルミニウムなどの金属ナノ粒子１つ又は複数から構成することができる。
【００３１】
一例示的実施形態では、正面シート３０２は、凸状突起の表面の内側に透明な電極層と誘電体層とを備えることができる。この誘電体層を、透明な正面電極層の上に配置して、背面電極と対向させることができる。誘電体層は、透明な電極層を保護するために使用可能である。この誘電体層で等角(conformal)コーティングを形成して、誘電体層にピンホールをなくす、またはピンホールを最小にして設けることができる。誘電体層は、構造化層でもよい。誘電体層は、ポリマー又はポリマーの組み合わせであってもよい。一例示的実施形態では、この体層はパリレンを含むことができる。誘電体層は、ハロゲン化パリレン又はポリイミド等のポリマーでよい。誘電体層は、ＳｉＯ2等のガラス又は他の金属酸化物無機層でもよい。誘電体層は、ポリマーとガラスとの組み合わせであってもよい。
【００３２】
図４は、本開示の別の実施形態に係る、透明な正面シートの一部の内面の平面図を概略的に示す。正面シートの実施形態４００は、透明な高屈折率正面シート４０２と個々の凸状突起４０４とを備えて示されている。少なくとも１つの突起を、最密アレイ４０６の内面上に配置することができる。この凸状突起を、不揃いなアレイにすることができる。実質的に平坦な介在空間４０８が、凸状突起４０４間に存在し得る。凸状突起４０４の湾曲表面及び介在空間４０８は、サブ波長構造体４１０を備えることができる。一例示的実施形態では、構造体４１０の大きさ及び間隔を、入射光線の波長よりを小さくすることができる。
【００３３】
別の一例示的実施形態では、正面シート４０２は、凸状突起の表面の内側に透明な電極層（図示せず）を備えることができる。さらに別の一例示的実施形態では、正面シート４０２は、凸状突起の表面の内側に透明な電極層（図示せず）と誘電体層（図示せず）とを備えることができる。
【００３４】
図５Ａは、ＴＩＲディスプレイの正面シートの一例の側面図である。具体的には、図５Ａは、暗瞳領域に改良表面を有する凸状突起があるＴＩＲディスプレイの透明な正面シートの一部の断面を示す。正面シートの実施形態５００では、暗瞳孔領域のみがサブ波長構造を含む。凸状突起の残りの部分は、サブ波長構造を含まない。正面シートの実施形態５００は、透明な高屈折率正面シート５０２と、視聴者５０６に面する外面５０４と、複数の凸状突起５０８とを備える。一実施形態では、凸状突起５１０の一部又は全部が、少なくとも１つの隣接する凸状突起に接していてよい。凸状突起５１０の各曲面はさらに、複数の透明な構造体又は特徴物５１２を暗瞳領域上に備えることができる。
【００３５】
図５の一例示的実施形態では、構造体５１４の大きさ及び間隔を、サブ波長（すなわち、入射光線の波長よりも小さい）とすることができる。個々の構造体５１４は、正方形又は立方体形状でよい。さらに、構造体５１４は、球、半球、半円筒、直角プリズム、三角錐、四角錐又は他の形状の中の１つ以上の形状であってもよい。一実施形態では、構造体５１４は不揃いな形状を含むことができる。
【００３６】
尚、暗瞳孔領域は、観察角度及び照射角度に基づいて変化する可能性がある。図５Ａの正面シートの実施形態では、通常の観察角度及び照射角度に基づいて暗瞳孔領域が存在し得る領域に、構造体５１２が位置し得る。通常の視野角は、法線に対して約−３０度から約３０度までの範囲にあり得る（視聴者がディスプレイの表面を垂直方向に見るとき、法線角度は０度である）。通常の照射角度は、法線角度に対して約−５度から約−３０度、又は約５度から約３０度の範囲にある。他の実施形態では、ディスプレイの利用に基づいて、凸状突起の表面の他の領域に構造体５１２を位置する可能性がある。
【００３７】
図５Ｂは、図５Ａの透明な正面シートの一部の内面の平面図を概略的に示す。図５Ｂの実施形態５００は、最密アレイ５０８内に凸状突起５１０を含む。正面シートの実施形態５００は、サブ波長構造体を有する凸状突起５１０の暗瞳領域の改良表面５１２と、最密凸部５１０間の介在空間５１４とを含む。凸状突起を不揃いのアレイで配置してもよい。この実施形態では、サブ波長構造体５１２を、暗瞳孔領域内の個々の凸状突起５１０の曲面上にのみ配置することができる。凸状突起５１０の曲面の領域５１６によっては、サブ波長構造体５１２で被覆しなくてもよい。
【００３８】
一例示的実施形態では、正面シート５０２は、凸状突起の表面の内側に１又は複数の透明な電極層及び誘電体層を備えることができる。
【００３９】
図６は、本開示の一実施形態に係る透明な正面シートの内面の平面図を概略的に示す。具体的には、図６のＴＩＲ型ディスプレイの正面シートの実施形態は、改良表面を備えた凸状突起を含む。
ＴＩＲ型反射画像ディスプレイの透明な正面シートの実施形態６００は、透明なサブ波長構造体が回折線又は回析隆起であってもよい点を除き、図３Ｂの実施形態３００と同様である。この回折線は、凸状突起の長さに沿って延びる連続線であってもよい。正面シートの実施形態６００は、凸状突起６０４を有する透明で高屈折率の正面シート６０２を含む。少なくとも１つの凸部６０４を、介在空間６０８を有する最密アレイ６０６又は不揃いなアレイに配置することができる。凸状突起６０４の湾曲表面は、透明な回折隆起６１０を含んでもよい。この隆起６１０同士を、入射光線に対してサブ波長で離間させることができる。隆起６１０の形状は、細長い三角錐又は四角錐でよい。
【００４０】
一例示的実施形態では、正面シート６０２は、凸状突起の表面の内側に透明な電極層を備えることができる。一例示的実施形態では、正面シート６０２は、凸状突起の表面の内側に透明な電極層と誘電体層とを備えることができる。
【００４１】
図７は、本開示の別の実施形態による透明な正面シートの内面の平面図を概略的に示す。図７の正面シートの実施形態は、改良表面を有する凸状突起を含む。 ＴＩＲ型反射画像ディスプレイ用の透明な正面シートの実施形態７００は、サブ波長構造体が回折線又は回析隆起であることを除いて、図４の実施形態４００と同様である。この隆起は、突起の長さを延ばすことができる。正面シートの実施形態７００は、凸状突起７０４を有する透明な高屈折率の正面シート７０２を含む。少なくとも１つの突起７０４を、最密アレイ７０６又は不揃いなアレイに配置することができ、突起７０４間には平坦な介在空間７０８がある。凸状突起７０４の湾曲表面及び平坦な介在空間に、透明な回折隆起７１０を備えることができる。この隆起７１０の間隔は、入射光線のサブ波長でもよい。隆起７１０の形状は、細長い三角錐、四角錐、半円筒又は他の形状の中の１つ又は複数でもよい。
【００４２】
一例示的実施形態では、正面シート７０２は、半球状突起の表面上の内側に透明な電極層を備えることができる。一例示的実施形態では、正面シート７０２は、凸状突起の表面の内側に、透明な電極層と誘電体層とを備えることができる。図７から明らかなように、隆起は突起７０４を越えて介在空間７０８まで続く。
【００４３】
図８は、透明な正面シートの内面の平面図を概略的に示す。図示の実施形態は、暗瞳孔領域に改良表面を有する凸状突起のあるＴＩＲ型ディスプレイの正面シートの一部を形成することができる。図８の正面シートの実施形態８００は、サブ波長構造体が回折線又は回析隆起であることを除いて、図５Ｂに示す実施形態と実質的に同様である。正面シートの実施形態８００は、透明な高屈折率シート８０２と最密アレイ８０８又は不揃いなアレイとして少なくとも１つの凸状突起８１０とを備えることができる。凸状突起８１０間に介在空間８１４があってよい。図８の正面シートの実施形態８００は、サブ波長構造体を有する凸状突起８１０の暗瞳領域内に改良表面８１２も含むことができる。この実施形態では、サブ波長構造体８１２を、暗瞳領域内の個々の凸状突起８１０の曲面上にのみ配置することができる。凸状突起８１０の曲面の領域８１６は、サブ波長構造体８１２で覆われていなくてもよい。
【００４４】
正面シート８０２は、凸状突起の表面上の内側に１以上の透明な電極層及び誘電体層を備えることができる。
【００４５】
図９は、本開示の一実施形態に係るＴＩＲ型ディスプレイの一部の断面図を概略的に示す。図示のディスプレイ９００は、複数の凸状突起９０４を有する透明な正面シート９０２を含む。暗瞳孔領域における凸状突起の表面上には、サブ波長構造体９０６を設けることができる。一実施形態では、構造体９０６は入射波長より大きい。正面シート９０２は、図５Ａ及び図５Ｂの実施形態５００のものと実質的に同様である。図示のディスプレイ９００は、凸状突起９０４の表面上の透明な正面電極を有する。正面電極９０８は、透明なポリマーマトリックス中に分散された、酸化インジウム錫、導電性ポリマー又は導電性金属ナノ粒子から構成することができる。
【００４６】
ディスプレイ９００は、さらに、背面支持シート９１０と背面支持シート９１０上にある背面電極層９１２とを備える。一例示的実施形態では、背面電極層９１２は、薄膜トランジスタ（ＴＦＴ）アレイでよい。他の実施形態では、背面電極層９１２は、パターン化された直接起動アレイ、電極、又は電極の受動マトリックスアレイであってもよい。
【００４７】
図９に示すように、背面電極９１２と凸状突起の外面（すなわち、正面電極９０８及びその上に形成された誘電体層）との間に空隙又は空洞が形成される。媒体９１４を、この空隙内に入れることができる。媒体９１４は、空気、流体、又は約１から１．５の範囲の低屈折率の任意の材料とすることができる。一例示的実施形態において、媒体９１４は、炭化水素、フッ化炭化水素のようなハロゲン化炭化水素、又はそれらの組み合わせでよい。
【００４８】
ディスプレイ９００は、さらに、媒体９１４中に分散された電気泳動で移動する複数の光吸収粒子９１６を備える。粒子９１６は、正極性又は負極性を有し得る。粒子９１６は、顔料又は染料でよい。粒子９１６は、カーボンブラック又は金属酸化物ベースの顔料であってもよい。粒子９１６は有機層を含んでもよい。粒子９１６はどんな色であってもよい。
【００４９】
一例示的実施形態では、ディスプレイ９００は、媒体９１４全体に亘ってバイアスを生成することができる任意の電圧源９１８を備える。このバイアスは、粒子９１６の少なくとも１つを移動させることができる。不図示であるが、電圧源９１８は、所定の方法で印加したバイアスを変更又は切り替える構成である、プロセッサ回路及びメモリプロセッサに連結させることができる。例えば、この処理回路は、印加したバイアスを切り替えてディスプレイ９００上に文字を表示することができる。
【００５０】
一例示的実施形態では、ディスプレイ９００は、さらに少なくとも１つの誘電体層（図示せず）を備えることができる。誘電体層は、正面電極の表面上、背面電極上、又は正面電極上及び背面電極上の双方に配置可能である。
【００５１】
ディスプレイ９００は、以下のように動作可能である。粒子９１６とは反対極性のバイアスを印加することによって、粒子９１６が、正面電極９０８の近くに電気泳動で移動すると、粒子９１６は、エバネッセント波領域に入ってＴＩＲをフラストレートできる。これは、点線９２０の右側に示されている。図示例の入射光線９２２及び９２４は、粒子９１６によって吸収され得る。ディスプレイは、視聴者９２６には暗状態に見える。
【００５２】
点線９２０の左側に示すように、粒子９１６は、正面電極９０８から離れ、エバネッセント波長領域を出て、さらに、背面電極９１２に向かって移動できる。入射光線は、アレイの表面の凸状突起９０４と媒体９１４との界面で内部全反射され得る。これを、入射光線９２８で表すことができる。光線９２８は内部全反射され、反射光線９３０としてディスプレイを抜けて視聴者９２６に向かうことができる。他の入射光線はゼロ次反射を受けられる。そうならなければ、暗瞳孔領域を通過してしまう可能性がある。これを、ゼロ次反射して光線９３４として視聴者９２６に向かう入射光線９３２で示されている。このディスプレイは、視聴者９２６には白色又は明るく見える。
【００５３】
ディスプレイ９００は、上述の正面シートのいずれか、例えば、図３から図８に記載された例示的な正面シートのいずれかと併用可能である。ディスプレイ９００内の粒子９１６及び媒体９１４を、電気流体システム（エレクトロウェッティング(electrowetting)システムとも呼ばれる）によって代替してもよい。この電気流体システムを、電気泳動粒子９１６に代わって光吸収及び反射の変調に使用することができる。電気流体システムは、極性流体及び非極性流体を備えることができる。この流体は、負若しくは正の極性又は電荷を備えることができる。一例示的実施形態では、一方の流体は色を含み、他方の流体は透明でよい。一例示的実施形態では、透明流体は、約１から１．５の範囲の低屈折率でよい。透明流体は、炭化水素又はハロゲン化炭化水素を含んでよい。他の実施形態では、両方の流体が色を含んでもよい。非極性流体は、シリコンオイル、アルカンオイル、シリコンオイルの溶剤混合物又はアルカンオイルの溶剤混合物を含んでよい。実施形態によっては、極性流体の屈折率と非極性流体の屈折率との間の差を、約０．０５から約１．５の範囲とすることができる。ディスプレイ９００の正面電極９０８に、着色流体の電荷とは反対の電荷のバイアスをかけることができる。これにより着色流体は、正面電極９０８に引き付けられ得る。この位置において、着色流体は入射光を吸収して暗状態を作り出すことができる。もし背面電極層９１２にて着色流体の反対極性のバイアスが印加されると、着色流体は背面電極９１２に引き寄せられ得る。入射光線は、内部全反射によって視聴者９２６に向かって反射されて、ディスプレイの明状態を作り出すことができる。
【００５４】
他の実施形態では、正面シートを備える反射型画像ディスプレイのいずれかであって、サブ波長構造体を伴う凸状突起アレイを有するものは、さらに、少なくとも１つのスペーサ構造体を備えてもよい。このスペーサ構造体を、正面電極と背面電極との間の空隙を制御するために使用することができる。スペーサ構造体は、ディスプレイ内の様々な層を支えるために使用され得る。スペーサ構造体の形状は、円、楕円形ビーズ、ブロック、円筒若しくは他の幾何学的形状又はそれらの組み合わせであってもよい。スペーサ構造体は、ガラス、金属、プラスチック、又は他の樹脂を含んでよい。
【００５５】
他の実施形態では、画像ディスプレイはさらに、カラーフィルタ層を含んでもよい。このカラーフィルタ層を、透明な正面シートの外面上に配置することができる。カラーフィルタ層を、とりわけ、赤、緑、青のフィルタ、又はシアン、マゼンタ、黄色のフィルタから構成することができる。
【００５６】
さらに他の実施形態では、画像ディスプレイは、さらに少なくとも１つの端部シールを含んでもよい。この端部シールは、熱で又は光化学的に硬化される材料でよい。端部シールは、エポキシ、シリコーン又は他のポリマベース材料の中の１つ以上を含むことができる。
【００５７】
他の実施形態では、画像ディスプレイは、さらに少なくとも１つの側壁（横断壁と呼ぶこともある）を含み得る。側壁は、粒子の沈降、漂流及び拡散を制限して、表示性能及び双安定性を改善する。側壁は、粒子及び媒体を含む光変調層内に配置され得る。側壁は、正面電極、背面電極、又は正面電極と背面電極の双方から全体的又は部分的に延びるものでよい。側壁は、プラスチック、金属、ガラス又はそれらの組み合わせを含むことができる。側壁は、ウェル又はコンパートメント（図示せず）を形成して電気泳動で移動する粒子を閉じ込めることが可能である。この側壁すなわち横断壁は、例えば正方形、三角形、五角形、六角形、又はそれらを組み合わせた形状にウェル又はコンパートメントを形成するように構成可能である。側壁すなわち横断壁は、ポリマー材料を含み、フォトリソグラフィ、エンボス加工、又は成型を含む従来の手法によってパターン化可能である。この壁は、可動粒子の閉じ込めにより、ディスプレイ性能の経時劣化につながりかねない粒子の沈澱及び移動を防ぐ一助となる。特定の実施形態においては、このディスプレイは、空気媒体、液体媒体及び電気泳動的に移動する粒子が存在する領域において、正面電極及び背面電極によって画成される空隙を完全に架橋する横断壁を備えてもよい。特定の他の実施形態においては、本明細書に記載された反射画像ディスプレイは、空気媒体、液体媒体及び移動する粒子が存在する領域において、正面電極及び背面電極によって画成される空隙を部分的にのみ架橋する部分横断壁を備えてもよい。特定の実施形態においては、反射型画像ディスプレイは、さらに、媒体及び電気泳動で移動する粒子が存在する領域において、正面電極及び背面電極によって画成された空隙を完全又は部分的に架橋する横断壁及び部分横断壁の組み合わせを備えてもよい。
【００５８】
指向性フロントライトを、開示したディスプレイの実施形態と併用可能である。指向性フロントライトシステムは、光源、ライトガイド、及び光抽出素子のアレイ各ディスプレイ内の正面シートの外面上に含むことができる。指向性照明システムを、正面シートの外面と視聴者との間に位置付けることができる。フロントライトの光源は、発光ダイオード（ＬＥＤ）、冷陰極蛍光ランプ（ＣＣＦＬ）、又は表面実装技術（ＳＭＴ）白熱灯とすることができる。光抽出素子は、狭い角度内で所定の方向、例えば中心角が約３０度の円錐で正面シートに向かう方向に、光を向ける一方、ライトガイドは、透明な外側シートの表面全体に光を向けるように構成され得る。この指向性フロントライトシステムは、本開示に記載のディスプレイ構成内の横断壁若しくはカラーフィルタ層又はそれらの組み合わせとして使用可能である。
【００５９】
実施形態によっては、光拡散層を、開示されたディスプレイの実施形態と共に使用できる。他の実施形態では、光拡散層をフロントライトと組み合わせて使用できる。
【００６０】
実施形態によっては、多孔質反射層を、開示されたディスプレイの実施形態と組み合わせて使用できる。多孔質反射層は、正面電極層と背面電極層との間に配置してもよい。他の実施形態では、背面電極を多孔質電極層の表面上に配置してもよい。
【００６１】
本発明の様々な制御機構は、ソフトウェア及び／又はファームウェアにおいて全て又は部分的に実施可能である。このソフトウェア及び／又はファームウェアは、コンピュータ可読の非一時的記憶媒体内又は当該媒体上に含まれる命令の形をとり得る。次に、これらの命令は、本明細書で説明される動作の実行を可能にするために、１又は複数のプロセッサによって読み取られ且つ実行され得る。命令は、ソースコード、コンパイル済みコード、解釈済みコード、実行可能コード、静的コード、動的コード等の任意の適切な形式であれはよいが、これに限定されるものではない。この様なコンピュータ可読媒体には、１又は複数のコンピュータにより可読な形式の情報を格納するための有形の非一時的媒体が含まれ得る。有形の固定媒体には、リードオンリーメモリ（ＲＯＭ）ランダムアクセスメモリ（ＲＡＭ）、磁気ディスク記憶媒体、光記憶媒体、フラッシュメモリなどなどがあるが、これらに限定されるものではない。
【００６２】
実施形態によっては、命令を含むコンピュータ可読の有形な非一時的記憶媒体を、開示されたディスプレイの実施形態と組み合わせて使用してもよい。他の実施形態では、さらに、コンピュータ可読の有形な非一時的記憶媒体を、１又は複数のプロセッサと組み合わせて使用してもよい。
【００６３】
図１０は、本開示の一実施形態に係るディスプレイ制御用の例示的なシステムを示す。図１２において、ディスプレイ９００は、プロセッサ１００４及びメモリ１００６を有するコントローラ１００２によって制御される。その他の制御機構及び／又は装置も、本開示の原理から逸脱することなくコントローラ１００２に備えることができる。コントローラ１００２を、ハードウェア、ソフトウェア、又はそれらの組み合わせとすることができる。例えば、コントローラ１００２を、命令（例えば、ファームウェア）でプログラミングされたプロセッサとすることができる。プロセッサ１００４は、実プロセッサでも仮想プロセッサでもよい。同様に、メモリ１００６は、実際のメモリ（即ちハードウェア）でも仮想メモリ（即ちソフトウェア）でもよい。
【００６４】
メモリ１００６は、ディスプレイ３００を駆動するためにプロセッサ１００４によって実行される命令を記憶可能である。この命令を、ディスプレイ９００を動作させるように構成することができる。一実施形態において、この命令は、電源１００８を介してディスプレイ９００と結合するバイアス電極を含むことができる。バイアスがかかると、電極は、電気泳動粒子を正面電極に近接する領域に移動させ、そこで光を吸収させることができる。入射光線を吸収することにより、ディスプレイ９００を暗状態にする。電極を適宜バイアスすると、可動の光吸収粒子（例えば、図９の粒子９１６）を、透明な正面電極（例えば、図９の電極９０８）から離れた位置と、エバネッセント波領域外とに集めることができる。エバネッセント波領域から粒子を移動させると、ＴＩＲ及びゼロ次反射によって複数の凸状突起（例えば、図９の突起９０４）の表面で光が反射する。入射光線を反射することにより、ディスプレイ９００の明状態が作り出される。
【００６５】
本明細書で開示される例示的なディスプレイは、電子書籍リーダ、携帯用コンピュータ、タブレットコンピュータ、携帯電話、スマートカード、看板、腕時計、衣服、棚札、フラッシュドライブ。及びディスプレイを備えた屋外広告用掲示板若しくは屋外用看板に使用可能である。
【００６６】
図１１は、第１組のシミュレーションの結果を図式的に示す。本明細書で記載された実施形態を証明して説明するために、モデル化されたシステムのシミュレーションは、Ｌｕｍｅｒｉｃａｌの時間領域差分（ＦＤＴＤ）ソリューションソフトウェア（リリース２０１６Ｂ、バージョン８．１６）を使用して実行されている。第１のシミュレーション１１００において、シミュレーションモデルには、屈折率が１．２７の媒体と接している屈折率が１．７の平面ガラス基板の界面に、垂直な方向に入射する平行光が含まれる。図１１のグラフは、入射光のパーセンテージとしての波長（ナノメートル）関数の半球反射を示している。図１１のグラフにおいて、構造体を有さない平面ガラスシートは、約４００ナノメートルから約７００ナノメートルまでの全ての波長にわたって約２．１％の光を反射する。これを図１１の実線で示す。
【００６７】
第２のシミュレーションシステム１１１０において、屈折率が１．７のガラス基板は、さらに、入射光との界面の反対側に、屈折率が２．２のブロック形状でナノメートルサイズの構造体を含む。屈折率が１．２７の媒体が、ナノメートルサイズの構造体を備えるガラス基板の片側に接している。これらのナノ構造体は高さ、長さ及び幅が全て等しく、１５０ナノメートルである。これらのナノ構造体はまた、１５０ナノメートル間隔で、市松模様のように配置されている。これにより得られる反射率データの結果を、図１１の点線１１１０で示す。１５０ナノメートル構造体は、約４００ナノメートルから約５００ナノメートルの波長の光を反射する。
【００６８】
第３のシミュレーションシステム１１２０において、ナノ構造体は、システム１１１０と同様にブロック形状であるが、高さ、長さ及び幅は全て２００ナノメートルである。又、ナノ構造体は２００ナノメートル間隔の市松模様形状である。又、ナノ構造体は屈折率が約１．２７の媒体と接している。ナノ構造体がないシステム１１００と比較した場合、この大きさのナノ構造体は、４００ナノメートルから７００ナノメートルの範囲の光の反射率を増加させるが、主に５００ナノメートルから約６５０ナノメートルの範囲である。これにより得られる反射率データの結果を、図１１の破線１１２０で示す。。
【００６９】
第４のシミュレーションシステム１１３０において、ナノ構造体は、システム１１１０及び１１２０と同様にブロック形状であるが、高さ、長さ及び幅は全て２５０ナノメートルである。また、ナノ構造体は２５０ナノメートル間隔の市松模様形状である。又、ナノ構造体は屈折率が約１．２７の媒体と接している。ナノ構造体がないシステム１１００と比較した場合、この大きさのナノ構造体は、約４００ナノメートルから４８０ナノメートルの範囲及び６２０ナノメートルから７００ナノメートルの範囲の光の反射率を増加させる。これにより得られる反射率データの結果を、図１１の一点鎖線１１３０で示す。
【００７０】
図１２は、第２組のシミュレーションの結果を図式的に示す。第１のシミュレーション１２００において、このモデルは、屈折率が１の媒体と接している屈折率が１．７の平面ガラス基板の界面に、垂直な方向に入射する平行光を含む。図１２のグラフは、入射光のパーセンテージとしての波長（ナノメートル）関数の半球反射を示している。図１２のグラフにおいて、ナノ構造体を有さない平面ガラスシートは、約３００ナノメートルから約７００ナノメートルまでの全ての波長にわたって約６．７％の光を反射する。これを図１２の実線１２００で示す。
【００７１】
図１２の第２のシミュレーションシステム１２１０において、屈折率が１．７のガラス基板はさらに、入射光との界面の反対側に、屈折率が１．７でブロック形状のナノメートルサイズの構造体を備える。屈折率が１の媒体は、ナノメートルサイズの構造体を備えるガラス基板の片側に接している。これらのナノ構造体は高さ、長さ及び幅が全て等しく、２００ナノメートルである。また、ナノ構造体は２００ナノメートル間隔で、市松模様状に配置されている。これにより得られる反射率データの結果を、図１２の破線１２１０で示す。ナノ構造体がないシステム１２００と比較した場合、２００ナノメートル構造体は、約４００ナノメートルから約６００ナノメートルの範囲の波長の光の反射をパーセント分だけ増加させる。
【００７２】
図１２の第３のシミュレーションシステム１２２０において、屈折率が１．７のガラス基板は、さらに、入射光との界面の反対側に、屈折率が１．７でブロック形状のナノメートルサイズの構造体を備える。屈折率が１の媒体は、ナノメートルサイズの構造体を備えるガラス基板の片側に接している。これらのナノ構造体は、構造体１２１０と同様であるが、高さ、長さ及び幅が全て２５０ナノメートルである。また、ナノ構造体は２５０ナノメートル間隔で、市松模様状に配置されている。これにより得られる反射率データの結果を、図１２の一点鎖線１２２０で示す。ナノ構造体がないシステム１２２０と比較した場合、２５０ナノメートル構造体は、約４８０ナノメートルから約７００ナノメートルの範囲の波長の光の反射をパーセント分だけ増加させる。
【００７３】
図１２の第４のシミュレーションシステム１２３０において、屈折率が１．７のガラス基板はさらに、入射光との界面の反対側に、屈折率が１．７でブロック形状のナノメートルサイズの構造体を備える。屈折率が１の媒体は、ナノメートルサイズの構造体を備えるガラス基板の片側に接している。ナノ構造体は、長さ及び幅が２５０ナノメートルである構造体１２２０と同じである。この例では、構造体１２３０は、構造体１２２０の高さ２５０ナノメートルと比べて２００ナノメートルだけ低くしている。構造体１２３０は構造体１２２０と同じく２５０ナノメートル間隔で、同様に市松模様状に配置されている。これにより得られる反射率データの結果を、図１２の一点鎖線１２３０で示す。高さが約５０ナノメートル短い構造体１２３０では、構造体１２２０と比較した場合、同じ波長の範囲においてパーセント分の反射率の減少が見られる。  
【００７４】
以下の例示的且つ非限定的な実施形態において、本開示の様々な実施例を提供する。実施例１は、第１面と第２面とを有する透明な層であって、第２面は、第１面の反対側に位置し、且つ第１面から離れる方向に延出した複数の凸状突起を有し、少なくとも１つの突起が暗瞳孔領域を有する透明層と、その凸状突起の表面に位置して、透明層の第２面から離れる方向に突出する構造体とを備える、ディスプレイの正面シートに関する。
【００７５】
実施例２は、実施例１のディスプレイの正面シートにおいて、さらに、透明層の第２表面の上に等角(conformally)で配置された電極層を備える、ディスプレイの正面シートに関する。
【００７６】
実施例３は、上述の全ての実施例のディスプレイの正面シートにおいて、さらに、透明層の第２面の上に等角で配置された誘電層を備える、ディスプレイの正面シートに関する。
【００７７】
実施例４は、上述の全ての実施例のディスプレイの正面シートにおいて、少なくとも１つの構造体の幅が実質的に入射光線の波長以下である、ディスプレイの正面シートに関する。
【００７８】
実施例５は、上述の全ての実施例のディスプレイの正面シートにおいて、構造体間を隔てる距離が、実質的に入射光線の波長以下である、ディスプレイの正面シートに関する。
【００７９】
実施例６は、上述の全ての実施例のディスプレイの正面シートにおいて、第１面から離れる方向に延出した複数の凸状突起の１つが半球状を成す、ディスプレイの正面シートに関する。
【００８０】
実施例７は、第１面と第２面とを有する透明層であって、第２面は、第１面の反対側に位置し、且つ、第１面から離れる方向に延出した複数の凸状突起を有し、少なくとも１つの突起が暗瞳孔領域を有する透明層と、凸状突起の表面に位置して、透明層の第２面から離れる方向に突出する構造体と、透明層の上に位置する実質的に透明な正面電極層と、前記正面電極層の上に配置された誘電体層と、前記誘電体層から離れて位置し、前記誘電体層との間に空隙を形成する背面電極と、前記空隙内に配置され電気泳動で移動する粒子とを備える反射画像ディスプレイに関する。
【００８１】
実施例８は、実施例７の反射画像ディスプレイにおいて、正面電極が前記透明層の構造体の上に等角で配置されている、反射画像ディスプレイに関する。
【００８２】
実施例９は、上述の全ての実施例の反射画像ディスプレイにおいて、誘電体層は正面電極の上に等角で配置されている、反射画像ディスプレイに関する。
【００８３】
実施例１０は、上述の全ての実施例の反射画像ディスプレイにおいて、少なくとも１つの構造体の幅が、実質的に入射光線の波長以下である、反射画像ディスプレイに関する。
【００８４】
実施例１１は、上述の全ての実施例の反射画像ディスプレイにおいて、構造体間を隔てる距離が、実質的に入射光線の波長以下である、反射画像ディスプレイに関する。
【００８５】
実施例１２は、上述の全ての実施例の反射画像ディスプレイにおいて、第１面から離れる方向に延出した複数の凸状突起の１つが半球状を成す、反射画像ディスプレイに関する。
【００８６】
実施例１３は、上述の全ての実施例の反射画像ディスプレイにおいて、１以上の正面電極又は背面電極がバイアスされると、電気泳動で移動する粒子の少なくともいくつかが正面電極に向かって移動する、反射画像ディスプレイに関する。
【００８７】
実施例１４は、反射画像ディスプレイを操作する方法であって、この方法は、複数の突起を有し、かつ少なくとも１つの突起が複数の構造体をその突起上に備える透明層上に、正面電極を等角に配置することと、背面電極を誘電体層から離して位置付けて誘電体層と背面電極との間に空隙を形成することと、電気泳動で移動する複数の粒子を誘電体層と背面電極との間の空隙内で懸濁させることと、第１レベルにおいて正面電極に背面電極に対応するバイアスをかけて、電気泳動で移動する複数の粒子の少なくともいくつかを正面電極に向けて引きつけることと、を含む、反射画像ディスプレイを操作する方法に関する。
【００８８】
実施例１５は、実施例１４の反射画像ディスプレイを操作する方法において、さらに、第２レベルにおいて、正面電極に背面電極に対応するバイアスをかけて、電気泳動で移動する複数の粒子の少なくともいくつかを背面電極に向けて引きつけることを含む、反射画像ディスプレイを操作する方法に関する。
【００８９】
実施例１６は、上述の全ての実施例の反射画像ディスプレイを操作する方法において、方法は、さらに、正面電極を誘電体層上に等角に配置することを含む、反射画像ディスプレイを操作する方法に関する。
【００９０】
実施例１７は、上述の全ての実施例の反射画像ディスプレイを操作する方法において、少なくとも１つの構造体の幅が、実質的に入射光線の波長以下であることを含む、反射画像ディスプレイを操作する方法に関する。
【００９１】
実施例１８は、上述の全ての実施例の反射画像ディスプレイを操作する方法において、構造体間を隔てる距離が、実質的に入射光線の波長以下であることを含む、反射画像ディスプレイを操作する方法に関する。
【００９２】
実施例１９は、上述の全ての実施例の反射画像ディスプレイを操作する方法において、複数の突起の１つが半球状を成す、反射画像ディスプレイを操作する方法に関する。
【００９３】
本開示の原理は、本明細書に示された例示的実施形態と関連して記載されているが、本開示の原理は、当該実施形態に限定されるものではなく、当該実施形態の如何なる変更、変形又は置換を含む。
【図１】
2018536202.tif 000003
【図２】
2018536202.tif 000004
【図３Ａ】
2018536202.tif 000005
【図３Ｂ】
2018536202.tif 000006
【図４】
2018536202.tif 000007
【図５Ａ】
2018536202.tif 000008
【図５Ｂ】
2018536202.tif 000009
【図６】
2018536202.tif 000010
【図７】
2018536202.tif 000011
【図８】
2018536202.tif 000012
【図９】
2018536202.tif 000013
【図１０】
2018536202.tif 000014
【図１１】
2018536202.tif 000015
【図１２】
2018536202.tif 000016
【国際調査報告】
2018536202.tif 000017
2018536202.tif 000018
2018536202.tif 000019